(57)【要約】【課題】  イヤホンは、筐体、可動コイルスピーカ、および平衡電機子スピーカを含む。【解決手段】  可動コイルスピーカおよび平衡電機子スピーカは、筐体の収容スペースに配置される。筐体は、収容スペースと、収容スペースにつながる単一の音声伝導チャネルを有する。可動コイルスピーカおよび平衡電機子スピーカは、筐体の収容スペースに配置され、可動コイルスピーカおよび平衡電機子スピーカにより生成された音声は、単一の音声伝導チャネルを通って一緒に出力される。イヤホンは、可動コイルスピーカの提供するソフトな低音と、平衡電機子スピーカが提供するスムーズな周波数応答曲線とに特徴づけられる。【選択図】図１
2011041241.tif 000002
【特許請求の範囲】
【請求項１】
第１の収容スペースを有する第１の筐体と、
前記第１の収容スペースに配置される可動コイルスピーカと、
前記第１の収容スペースに配置される平衡電機子スピーカと
を備えるイヤホン。
【請求項２】
前記可動コイルスピーカは、
第２の収容スペースを有する第２の筐体と、
前記第２の収容スペースに配置されるスピーカ振動システムと、
前記第２の収容スペースに配置される磁気ループと
を有する請求項１に記載のイヤホン。
【請求項３】
前記スピーカ振動システムは、第１の振動膜と、前記第１の振動膜上に配置されるコイルとを含む請求項２に記載のイヤホン。
【請求項４】
前記磁気ループは、磁石および磁極片を含む請求項２または３に記載のイヤホン。
【請求項５】
前記可動コイルスピーカは、前記第２の筐体の開口に配置されるダストフィルタをさらに有する請求項２から４の何れか１項に記載のイヤホン。
【請求項６】
前記可動コイルスピーカは、前記第２の筐体の外側に配置される回路基板をさらに有する請求項２から５の何れか１項に記載のイヤホン。
【請求項７】
前記平衡電機子スピーカは、
第３の収容スペースを有する第３の筐体と、
前記第３の収容スペースに配置される音響アセンブリと、
前記第３の収容スペースに配置される駆動アセンブリと、
前記音響アセンブリと前記駆動アセンブリとにそれぞれ接続される２つの端部を含む駆動ロッドと
を有する請求項１から６の何れか１項に記載のイヤホン。
【請求項８】
前記音響アセンブリは、
前記第３の筐体に取り付けられるフレームと、
前記フレーム上に配置される第２の振動膜と
を含み、
前記駆動ロッドの一端は前記第２の振動膜に接続される請求項７に記載のイヤホン。
【請求項９】
前記駆動アセンブリは、
前記第３の筐体内に配置される電機子と、
前記電機子内に配置されるコイルと、
前記電機子の自由端の両側に配置される一式の磁石と
を含み、
前記駆動ロッドの他端は前記電機子に接続される請求項７または８に記載のイヤホン。
【請求項１０】
前記第１の筐体の開口に配置されるイヤクッションをさらに備える請求項１から９の何れか１項に記載のイヤホン。
【発明の詳細な説明】
【技術分野】
【０００１】
本発明は、概してイヤホンに係り、特に、音質のよいイヤホンに係る。
【背景技術】
【０００２】
技術革新に伴い、軽量、携帯型、且つ最小型の電子製品の開発が主流になってきており、ラジオおよびウォークマン等の小型電子製品の利用が随時随所で可能となっている。また携帯情報機器が普及してきており、例えば一般的なＭＰ３ウォークマン（登録商標）、携帯電話機、携帯情報端末（ＰＤＡ）、またはノートブック等が特に日常生活の必需品となっている。ラジオおよびＭＰ３の機能を有する携帯電話機も既に現れている。
【０００３】
電子製品の種類に関わらず、イヤホンは、他人を煩わせることなく電子製品の提供する音声情報をユーザが聴くことを可能とする、電子製品の必須アクセサリである。さらに、イヤホンは、リスナーに対して所望の音声送信を聴くことを可能とさせ、明瞭な音声コンテンツの聴き取りおよび理解を可能とし、これにより無線送信された音声が不明瞭とならないようにする。特に、音声情報を聴いているユーザは、例えば運動中、運転中、または激しい運動中等の移動中において、あるいは、雑音の多い環境下において、聞き取りを妨害されない。
【０００４】
従来のイヤホンは、概して可動コイルスピーカを利用しており、これは、ソフトな音質という特徴を有するが、周波数応答曲線がスムーズではない。この他に、平衡電機子スピーカを利用するイヤホンもあるが、この種類のイヤホンの周波数応答曲線はスムーズではあるが、不自然である。
【発明の概要】
【０００５】
故に、本発明は、優れた、且つスムーズな周波数応答曲線を提供して、望ましくない音質という課題を解決するイヤホンに係る。
【０００６】
本発明のイヤホンは、第１の筐体と、可動コイルスピーカと、平衡電機子スピーカとを含む。可動コイルスピーカおよび平衡電機子スピーカは、第１の筐体の第１の収容スペースに配置される。
【０００７】
本発明のイヤホンの一実施形態では、可動コイルスピーカは、第２の筐体と、スピーカ振動システムと、磁気ループとを含む。スピーカ振動システムおよび磁気ループは、第２の筐体の第２の収容スペースに配置される。さらに、スピーカ振動システムは、例えば、振動膜と、振動膜上に配置されるコイルとを有する。磁気ループは、例えば、磁石および磁極片を有する。可動コイルスピーカは、第２の筐体の開口に配置されるダストフィルタをさらに有する。加えて、可動コイルスピーカは、第２の筐体の外側に配置される回路基板をさらに有する。
【０００８】
本発明のイヤホンの一実施形態では、平衡電機子スピーカは、第２の筐体と、音響アセンブリと、駆動アセンブリと、駆動ロッドとを含む。音響アセンブリおよび駆動アセンブリは、第２の筐体の第２の収容スペースに配置される。駆動ロッドの２つの端部は、音響アセンブリと駆動アセンブリとにそれぞれ接続される。加えて、音響アセンブリは、例えば、フレームと、振動膜とを含む。フレームは第２の筐体に取り付けられる。振動膜はフレーム上に配置される。駆動ロッドの一端は振動膜に接続される。加えて、駆動アセンブリは、例えば、電機子と、コイルと、一式の磁石とを有する。電機子は、第２の筐体内に配置される。コイルは電機子に配置される。一式の磁石は、電機子の自由端の両側に配置される。駆動ロッドの他端は電機子に接続される。
【０００９】
本発明のイヤホンの一実施形態では、イヤホンが、第１の筐体の開口に配置されるイヤクッションをさらに含む。
【００１０】
上述に鑑みて、本発明のイヤホンは、可動コイルスピーカが提供するソフトな音質と、平衡電機子スピーカが提供するスムーズな周波数応答曲線とに特徴付けられる。
【００１１】
本発明の特徴および利点を網羅すべく、以下に実施形態を添付図面とともに示す。
【図面の簡単な説明】
【００１２】
添付図面は、本発明の理解を深めさせる目的から含められており、本明細書に組み込まれ、その一部を構成する。図面は、本発明の実施形態を例示しており、記載とともに本発明の原理を説明する役割を果たす。
【００１３】
【図１】本発明の一実施形態によるイヤホンの断面図である。
【００１４】
【図２】図１の可動コイルスピーカの断面図である。
【００１５】
【図３】図１の平衡電機子スピーカの断面図である。
【００１６】
【図４】図１のイヤホンと従来のイヤホンとの間で周波数応答曲線を比較した図である。
【発明を実施するための形態】
【００１７】
本発明の実施形態を詳細に説明し、その例を添付図面に示す。可能な限り、図面間および記載中では、同じまたは同様の部分については同じ参照番号を利用する。
【００１８】
図１は、本発明の一実施形態によるイヤホンの断面図である。図１を参照すると、本実施形態のイヤホン１０００は、筐体１１００、可動コイルスピーカ１２００、および平衡電機子スピーカ１３００を含む。可動コイルスピーカ１２００および平衡電機子スピーカ１３００は、筐体１１００の収容スペースＳ１０に配置される。本実施形態のイヤホン１０００の構成によれば、単一のイヤホン１０００が少なくとも１つの可動コイルスピーカ１２００と少なくとも１つの平衡電機子スピーカ１３００と共に配置されることが理解されよう。このように、イヤホン１０００は、ソフトな音質とともに、スムーズな周波数応答曲線という特徴をも有することで、音質を向上させている。加えて、本実施形態のイヤホン１０００は、筐体１１００の開口Ｐ１０に配置されるイヤクッション１４００も含む。
【００１９】
図２は、図１の可動コイルスピーカの断面図である。図２を参照すると、可動コイルスピーカ１２００は、筐体１２１０、スピーカ振動システム１２２０、および磁気ループ１２３０を含む。スピーカ振動システム１２２０および磁気ループ１２３０は、筐体１２１０の収容スペースＳ２０に配置される。スピーカ振動システム１２２０は、例えば、振動膜１２２２およびコイル１２２４を含む。本実施形態の振動膜１２２２は周辺部が筐体１２１０に取り付けられており、コイル１２２４は、振動膜１２２２の底面に配置されている。さらに、磁気ループ１２３０は、例えば、磁石１２３２および磁極片１２３４を含む。コイル１２２４が入力電気信号の変化によって磁界を振動させるとき、コイル１２２４の磁界は、磁石１２３２の磁界と相互作用してコイル１２２４を動かし、これにより、振動膜１２２２が振動して音を発する。加えて、可動コイルスピーカ１２００はさらに、筐体１２１０の開口Ｐ２０に配置されるダストフィルタ１２４０を含む。可動コイルスピーカ１２００はさらに、筐体１２１０の外側に配置される回路基板１２５０を含む。コイル１２２４の２つの端部は、回路基板１２５０に電気的に接続される。
【００２０】
図３は、図１の平衡電機子スピーカの断面図である。図３を参照すると、本実施形態の平衡電機子スピーカ１３００は、筐体１３１０、音響アセンブリ１３２０、駆動アセンブリ１３３０、および駆動ロッド１３４０を含む。音響アセンブリ１３２０および駆動アセンブリ１３３０は、筐体１３１０の収容スペースＳ３０に配置される。駆動ロッド１３４０の２つの端部は、音響アセンブリ１３２０および駆動アセンブリ１３３０にそれぞれ接続される。音響アセンブリ１３２０は、例えば、フレーム１３２２と振動膜１３２４とを含む。フレーム１３２２は筐体１３１０に取り付けられる。振動膜１３２４はフレーム１３２２上に配置される。駆動アセンブリ１３３０は、例えば、電機子１３３２、コイル１３３４、および一式の磁石１３３６を含む。電機子１３３２は、筐体１３１０内に配置される。コイル１３３４は、電機子１３３２に配置される。一式の磁石１３３６は、電機子１３３２の自由端の両側に配置される。駆動ロッド１３４０の一端は、振動膜１３２４に接続される。駆動ロッド１３４０の他端は、電機子１３３２に接続される。コイル１３３４が入力電気信号の変化によって磁界を振動させるとき、電機子１３３２の誘導磁界もこれに応じて変化する。電機子１３３２の誘導磁界と、磁石１３３６の磁界との間の相互作用により、２つの磁石１３３６間に配置されている電機子１３３２の一部が、繰り返し上下に振動して、振動膜１３２４が駆動ロッド１３４０を介して振動することで音声が発せられる。
【００２１】
図４は、図１のイヤホンと従来のイヤホンとの間で周波数応答曲線を比較した図である。図４を参照すると、曲線Ｃ１０は、図１のイヤホン１０００の周波数応答曲線を表しており、ここで、イヤホン１０００は可動コイルスピーカ１２００と平衡電機子スピーカ１３００とを含む。曲線Ｃ２０は、可動コイルスピーカのみを有するイヤホンの周波数応答曲線を表す。曲線Ｃ３０は、平衡電機子スピーカのみを有するイヤホンの周波数応答曲線を表す。曲線Ｃ２０が示すように、可動コイルスピーカのみを有するイヤホンの周波数応答曲線はスムーズではなく、曲線Ｃ３０が示すように、平衡電機子スピーカのみを有するイヤホンの周波数応答曲線はスムーズではあるが、不自然である。曲線Ｃ１０は、図１のイヤホン１０００が、ソフトな音質という特徴およびスムーズな周波数応答曲線という特徴の両方を兼ね備えることで音質を向上させていることを示している。
【００２２】
上述の通り、本発明のイヤホンは、可動コイルスピーカおよび平衡電機子スピーカの両方を備えることで、可動コイルスピーカが提供するソフトな音質と、平衡電機子スピーカが提供するスムーズな周波数応答曲線とに特徴付けられており、音質が向上している。
【００２３】
当業者には、本発明の範囲および精神を逸脱することなく、本発明の構造に対して様々な変形例および変更例が可能であることが明らかであろう。上述に鑑みて、以下の請求項およびその均等物の範囲にある限り、これら変形例および変更例が本発明に含まれることが意図されている。
【図１】
2011041241.tif 000003
【図２】
2011041241.tif 000004
【図３】
2011041241.tif 000005
【図４】
2011041241.tif 000006
【手続補正書】
【提出日】平成22年4月6日(2010.4.6)
【手続補正１】
【補正対象書類名】明細書
【補正対象項目名】０００６
【補正方法】変更
【補正の内容】
【０００６】
本発明のイヤホンは、第１の筐体と、可動コイルスピーカと、平衡電機子スピーカとを含む。第１の筐体は、第１の収容スペースと、第１の収容スペースにつながる単一の音声伝導チャネルを有する。可動コイルスピーカおよび平衡電機子スピーカは、第１の筐体の第１の収容スペースに配置され、可動コイルスピーカおよび平衡電機子スピーカにより生成された音声は、単一の音声伝導チャネルを通って一緒に出力される。
【手続補正２】
【補正対象書類名】明細書
【補正対象項目名】０００９
【補正方法】変更
【補正の内容】
【０００９】
本発明のイヤホンの一実施形態では、イヤホンが、第１の筐体の単一の音声伝導チャネルの外側に配置されるイヤクッションをさらに含む。
【手続補正３】
【補正対象書類名】明細書
【補正対象項目名】００１８
【補正方法】変更
【補正の内容】
【００１８】
図１は、本発明の一実施形態によるイヤホンの断面図である。図１を参照すると、本実施形態のイヤホン１０００は、筐体１１００、可動コイルスピーカ１２００、および平衡電機子スピーカ１３００を含む。筐体１１００は、収容スペースＳ１０と、収容スペースＳ１０につながる単一の音声伝導チャネルＰ１０を有する。可動コイルスピーカ１２００および平衡電機子スピーカ１３００は、筐体１１００の収容スペースＳ１０に配置され、可動コイルスピーカ１２００および平衡電機子スピーカ１３００により生成された音声は、単一の音声伝導チャネルＰ１０を通って一緒に出力される。本実施形態のイヤホン１０００の構成によれば、単一のイヤホン１０００が少なくとも１つの可動コイルスピーカ１２００と少なくとも１つの平衡電機子スピーカ１３００と共に配置されることが理解されよう。このように、イヤホン１０００は、ソフトな音質とともに、スムーズな周波数応答曲線という特徴をも有することで、音質を向上させている。これは、可動コイルスピーカおよび平衡電機子スピーカにより生成された音声が単一の音声伝導チャネルを通って一緒に出力されることによる。単一の音声伝導チャネルＰ１０と一体のイヤホン１０００は加工が容易である。加えて、本実施形態のイヤホン１０００は、筐体１１００の単一の音声伝導チャネルＰ１０の外側に配置されるイヤクッション１４００も含む。
【手続補正４】
【補正対象書類名】特許請求の範囲
【補正対象項目名】全文
【補正方法】変更
【補正の内容】
【特許請求の範囲】
【請求項１】
第１の収容スペース、および単一の音声伝導チャネルを有する第１の筐体と、
前記第１の収容スペースに配置される可動コイルスピーカと、
前記第１の収容スペースに配置される平衡電機子スピーカと
を備え、
前記可動コイルスピーカおよび前記平衡電機子スピーカにより生成された音声は、前記単一の音声伝導チャネルを通って一緒に出力されるイヤホン。
【請求項２】
前記可動コイルスピーカは、
第２の収容スペースを有する第２の筐体と、
前記第２の収容スペースに配置されるスピーカ振動システムと、
前記第２の収容スペースに配置される磁気ループと
を有する請求項１に記載のイヤホン。
【請求項３】
前記スピーカ振動システムは、第１の振動膜と、前記第１の振動膜上に配置されるコイルとを含む請求項２に記載のイヤホン。
【請求項４】
前記磁気ループは、磁石および磁極片を含む請求項２または３に記載のイヤホン。
【請求項５】
前記可動コイルスピーカは、前記第２の筐体の開口に配置されるダストフィルタをさらに有する請求項２から４の何れか１項に記載のイヤホン。
【請求項６】
前記可動コイルスピーカは、前記第２の筐体の外側に配置される回路基板をさらに有する請求項２から５の何れか１項に記載のイヤホン。
【請求項７】
前記平衡電機子スピーカは、
第３の収容スペースを有する第３の筐体と、
前記第３の収容スペースに配置される音響アセンブリと、
前記第３の収容スペースに配置される駆動アセンブリと、
前記音響アセンブリと前記駆動アセンブリとにそれぞれ接続される２つの端部を含む駆動ロッドと
を有する請求項１から６の何れか１項に記載のイヤホン。
【請求項８】
前記音響アセンブリは、
前記第３の筐体に取り付けられるフレームと、
前記フレーム上に配置される第２の振動膜と
を含み、
前記駆動ロッドの一端は前記第２の振動膜に接続される請求項７に記載のイヤホン。
【請求項９】
前記駆動アセンブリは、
前記第３の筐体内に配置される電機子と、
前記電機子内に配置されるコイルと、
前記電機子の自由端の両側に配置される一式の磁石と
を含み、
前記駆動ロッドの他端は前記電機子に接続される請求項７または８に記載のイヤホン。
【請求項１０】
前記第１の筐体の前記単一の音声伝導チャネルの外側に配置されるイヤクッションをさらに備える請求項１から９の何れか１項に記載のイヤホン。
【外国語明細書】
2011041241.tif 000007
2011041241.tif 000008
2011041241.tif 000009
2011041241.tif 000010
2011041241.tif 000011
2011041241.tif 000012
2011041241.tif 000013
2011041241.tif 000014
2011041241.tif 000015
2011041241.tif 000016
2011041241.tif 000017
2011041241.tif 000018
2011041241.tif 000019
2011041241.tif 000020